(57)【要約】【課題】本発明は、再生装置、再生方法、再生装置のプログラム、再生装置のプログラムを記録した記録媒体に関し、例えばＤＶＤプレイヤーに適用して、従来に比して格段的に設定操作を簡略化することができるようにする。【解決手段】本発明は、記憶手段１４に記録した過去に再生した際の設定と、再生対象Ｄのコンテンツにおいて選択可能な設定との比較により、この各選択可能な項目を設定する。【選択図】　　　　図１
2004071109.tif 000002
【特許請求の範囲】
【請求項１】
所定の記録媒体に記録されたコンテンツを再生する再生装置において、
過去にコンテンツを再生した際の設定を記録する記憶手段と、
再生対象のコンテンツについて、選択可能な設定を前記記録媒体より再生する設定項目再生手段と、
前記記憶手段に記録した設定と、前記設定項目再生手段で再生した選択可能な設定との比較により、前記選択可能な設定を選択して設定する設定手段と、
前記設定手段の設定により、前記再生対象のコンテンツを再生する再生手段と
を備えることを特徴とする再生装置。
【請求項２】
前記記憶手段は、
前記コンテンツ又は記録媒体に固有の識別コードと共に、前記設定を記録して保持し、
前記設定手段は、
前記固有の識別コードにより、前記再生対象のコンテンツを判定し、
過去に再生したことのある前記コンテンツについては、該過去の再生時における設定を再現し、
過去に再生したことの無いコンテンツについては、前記記憶手段に記録した設定と、前記設定項目再生手段で再生した選択可能な設定との比較により、前記選択可能な設定を選択して設定する
ことを特徴とする請求項１に記載の再生装置。
【請求項３】
前記記憶手段は、
ユーザー毎に、前記設定を記録して保持し、
前記設定手段は、
再生を指示したユーザーに対応する前記記憶手段の記録に基づいて、前記選択可能な設定を選択して設定する
ことを特徴とする請求項１に記載の再生装置。
【請求項４】
前記選択可能な設定が、
字幕の言語である
ことを特徴とする請求項１に記載の再生装置。
【請求項５】
前記選択可能な設定が、
音声の言語である
ことを特徴とする請求項１に記載の再生装置。
【請求項６】
所定の記録媒体に記録されたコンテンツの再生方法において、
再生対象のコンテンツについて、選択可能な設定を前記記録媒体より再生する設定項目再生ステップと、
記憶手段に記録した過去にコンテンツを再生した際の設定と、前記設定項目再生ステップで再生した選択可能な設定との比較により、前記選択可能な設定を選択して設定する設定ステップと、
前記設定ステップの設定により、前記再生対象のコンテンツを再生する再生ステップと
を有することを特徴とする再生方法。
【請求項７】
所定の記録媒体に記録されたコンテンツを再生する再生装置に搭載されるコンピュータに所定の処理手順を実行させる再生装置のプログラムにおいて、
前記所定の処理手順が、
再生対象のコンテンツについて、選択可能な設定を前記記録媒体より再生する設定項目再生ステップと、
記憶手段に記録した過去にコンテンツを再生した際の設定と、前記設定項目再生ステップで再生した選択可能な設定との比較により、前記選択可能な設定を選択して設定する設定ステップと、
前記設定ステップの設定により、前記再生対象のコンテンツを再生する再生ステップとである
ことを特徴とする再生装置のプログラム。
【請求項８】
再生装置のプログラムを記録した記録媒体において、
前記再生装置のプログラムが、
所定のコンテンツの記録媒体に記録されたコンテンツを再生する再生装置に搭載されるコンピュータに所定の処理手順を実行させるプログラムであって、
前記所定の処理手順が、
再生対象のコンテンツについて、選択可能な設定を前記コンテンツの記録媒体より再生する設定項目再生ステップと、
記憶手段に記録した過去にコンテンツを再生した際の設定と、前記設定項目再生ステップで再生した選択可能な設定との比較により、前記選択可能な設定を選択して設定する設定ステップと、
前記設定ステップの設定により、前記再生対象のコンテンツを再生する再生ステップとである
ことを特徴とする再生装置のプログラムを記録した記録媒体。
【発明の詳細な説明】
【０００１】
【発明の属する技術分野】
本発明は、再生装置、再生方法、再生装置のプログラム、再生装置のプログラムを記録した記録媒体に関し、例えばＤＶＤ（Ｄｉｇｉｔａｌ　Ｖｅｒｓａｔｉｌｅ　Ｄｉｓｋ）プレイヤーに適用することができる。本発明は、記憶手段に記録した過去に再生した際の設定と、再生対象のコンテンツにおいて選択可能な設定との比較により、この各選択可能な項目を設定することにより、従来に比して格段的に設定操作を簡略化することができるようにする。
【０００２】
【従来の技術】
従来、ＤＶＤによる光ディスク（以下ＤＶＤディスクと呼ぶ）においては、種々の言語による字幕、音声等を選択できるようになされている。このためＤＶＤディスクを再生する専用装置であるＤＶＤプレイヤーにおいては、トップメニューを表示して字幕の表示、非表示、字幕の言語、音声の言語等の設定を受け付けるようになされている。
【０００３】
このようなＤＶＤプレイヤーにおいては、このような多彩な機能を選択できる反面、設定が煩雑な欠点があり、このためこの設定の煩雑さを解消するために種々の方法が提案されるようになされている。
【０００４】
すなわち例えば特開平１０−１０６１１９号公報、特開平１０−１０６１６７号公報においては、ＤＶＤディスク毎に、過去の再生時における設定をメモリに記録して保持し、過去に再生したＤＶＤディスクを再生する場合、このメモリの記録に従って過去の設定を再現する方法が提案されるようになされている。また特開平１０−１０６１６６号公報においては、ユーザーの希望する設定を事前にメモリに登録し、このメモリの記録に従って各ＤＶＤディスクを再生する方法が提案されるようになされている。
【０００５】
これに対して特開２０００−１５６０２３号公報、特開２０００−２９８９４７号公報、特開２００１−１４３３８７号公報等においては、ユーザーによる事前の設定により、それぞれ未だ再生していないシーン、隠しタイトル等を自動的に自動再生する方法が提案されるようになされている。
【０００６】
【発明が解決しようとする課題】
ところでユーザーにおいては、音声の言語、字幕の言語を英語等に設定して繰り返しＤＶＤディスクを視聴することにより、外国語の鍛練にＤＶＤディスクを利用する場合がある。またこのような外国語の鍛練においては、字幕の表示を中止して、ヒアリングを訓練する場合も考えられる。
【０００７】
上述した特開平１０−１０６１１９号公報、特開平１０−１０６１６７号公報、特開平１０−１０６１６６号公報の方法においては、このように繰り返しＤＶＤディスクを再生する場合に、ユーザーの繰り返しの設定操作を省略して使い勝手を向上することができる。
【０００８】
しかしながらこれらの方法においては、実用上、未だ不十分な問題がある。すなわちＤＶＤプレイヤーにおいては、過去に再生したことの無いＤＶＤディスクを再生する場合も考えられる。この場合、ＤＶＤディスク毎に、過去の設定を再現する特開平１０−１０６１１９号公報、特開平１０−１０６１６７号公報に開示の方法によっては、対応することが困難になり、これによりこの場合、煩雑な設定作業を実行しなければならなくなる。またＤＶＤディスクを語学の鍛練に利用しているユーザーにおいても、単なる娯楽を目的としてＤＶＤディスクを再生する場合もあり、この場合、過去の設定、事前の設定に従ってＤＶＤディスクを再生する方法においては、このようなＤＶＤディスクの再生に対応できくなる。
【０００９】
本発明は以上の点を考慮してなされたもので、従来に比して格段的に設定操作を簡略化することができる再生装置、再生方法、再生装置のプログラム、再生装置のプログラムを記録した記録媒体を提案しようとするものである。
【００１０】
【課題を解決するための手段】
かかる課題を解決するため請求項１の発明においては、所定の記録媒体に記録されたコンテンツを再生する再生装置に適用して、過去にコンテンツを再生した際の設定を記録する記憶手段と、再生対象のコンテンツについて、選択可能な設定を記録媒体より再生する設定項目再生手段と、記憶手段に記録した設定と、設定項目再生手段で再生した選択可能な設定との比較により、選択可能な設定を選択して設定する設定手段と、設定手段の設定により、再生対象のコンテンツを再生する再生手段とを備えるようにする。
【００１１】
また請求項６の発明においては、所定の記録媒体に記録されたコンテンツの再生方法において、再生対象のコンテンツについて、選択可能な設定を記録媒体より再生する設定項目再生ステップと、記憶手段に記録した過去にコンテンツを再生した際の設定と、設定項目再生ステップで再生した選択可能な設定との比較により、選択可能な設定を選択して設定する設定ステップと、設定ステップの設定により、再生対象のコンテンツを再生する再生ステップとを備えるようにする。
【００１２】
また請求項７の発明においては、所定の記録媒体に記録されたコンテンツを再生する再生装置に搭載されるコンピュータに所定の処理手順を実行させる再生装置のプログラムに適用して、所定の処理手順が、再生対象のコンテンツについて、選択可能な設定を記録媒体より再生する設定項目再生ステップと、記憶手段に記録した過去にコンテンツを再生した際の設定と、設定項目再生ステップで再生した選択可能な設定との比較により、選択可能な設定を選択して設定する設定ステップと、設定ステップの設定により、再生対象のコンテンツを再生する再生ステップとであるようにする。
【００１３】
また請求項８の発明においては、再生装置のプログラムを記録した記録媒体に適用して、再生装置のプログラムが、所定のコンテンツの記録媒体に記録されたコンテンツを再生する再生装置に搭載されるコンピュータに所定の処理手順を実行させるプログラムであって、所定の処理手順が、再生対象のコンテンツについて、選択可能な設定をコンテンツの記録媒体より再生する設定項目再生ステップと、記憶手段に記録した過去にコンテンツを再生した際の設定と、設定項目再生ステップで再生した選択可能な設定との比較により、選択可能な設定を選択して設定する設定ステップと、設定ステップの設定により、再生対象のコンテンツを再生する再生ステップとであるようにする。
【００１４】
請求項１の構成によれば、所定の記録媒体に記録されたコンテンツを再生する再生装置に適用して、過去にコンテンツを再生した際の設定を記録する記憶手段と、再生対象のコンテンツについて、選択可能な設定を記録媒体より再生する設定項目再生手段と、記憶手段に記録した設定と、設定項目再生手段で再生した選択可能な設定との比較により、選択可能な設定を選択して設定する設定手段と、設定手段の設定により、再生対象のコンテンツを再生する再生手段とを備えることにより、選択可能な設定と、過去の設定との比較により、ユーザーにより設定されると予測される字幕の言語等を設定することができる。これにより従来に比して格段的に設定操作を簡略化することができる。
【００１５】
これらにより請求項６、請求項７、請求項８の構成によれば、従来に比して格段的に設定操作を簡略化することができる再生方法、再生装置のプログラム、再生装置のプログラムを記録した記録媒体を提供することができる。
【００１６】
【発明の実施の形態】
以下、適宜図面を参照しながら本発明の実施の形態を詳述する。
【００１７】
（１）第１の実施の形態
（１−１）第１の実施の形態の構成
図２は、本発明の実施の形態に係るＤＶＤプレイヤーを示すブロック図である。このＤＶＤプレイヤー１において、スピンドルモータ２は、サーボ制御回路３の制御によりＤＶＤディスクＤを回転駆動する。
【００１８】
サーボ制御回路３は、ＲＦアンプ４より得られるＤＶＤディスクＤの再生結果に基づいてスピンドルモータ２の回転速度を制御し、これにより例えば線速度一定の条件によりＤＶＤディスクＤを回転駆動する。また同様のＲＦアンプ４より得られるＤＶＤディスクＤの再生結果に基づいて、光ピックアップ５をトラッキング制御、フォーカス制御し、またコントローラ６により指示されるトラックに光ピックアップ５をシークさせる。
【００１９】
光ピックアップ５は、ＤＶＤディスクＤにレーザービームを照射して戻り光を受光し、受光結果を出力する。ＲＦアンプ４は、コントローラ６の制御により、この光ピックアップ５から出力される受光結果を演算処理することにより、ＤＶＤディスクＤに形成されたピット列に応じて信号レベルが変化する再生信号ＲＦを生成して信号処理回路７に出力し、また同様の処理による再生結果をサーボ制御回路３に出力する。
【００２０】
信号処理回路７は、コントローラ６の制御により、ＲＦアンプ４から得られる再生信号ＲＦを２値識別して再生データを得、この再生データを誤り訂正処理、インターリーブ処理することにより、ＤＶＤディスクＤに記録された各種データを再生する。
【００２１】
ＡＶデコード処理回路８は、コントローラ６の制御により、このようにして信号処理回路７で再生される各種のデータより、所定のビデオデータ、オーディオデータを選択的に入力してデコードし、デコード結果を外部機器に出力する。これによりＤＶＤプレイヤー１では、別体のモニタ装置１１にビデオデータを出力して、このモニタ装置１１の表示部１１ＡによりＤＶＤディスクＤに記録されたビデオデータを視聴できるようになされている。またこのモニタ装置１１によりオーディオデータをディジタルアナログ変換処理してアナログ信号によるオーディオ信号を生成し、アンプ１１Ｂによりこのオーディオ信号でスピーカ１１Ｃを駆動することにより、ＤＶＤディスクＤに記録された各種のオーディオ信号を視聴できるようになされている。これらの処理において、ＡＶデコード処理回路８は、コントローラ６の制御により、例えば字幕によるビデオデータ（副映像のビデオデータである）とメインのビデオデータとを合成して出力し、これにより字幕等を表示するようになされている。
【００２２】
操作釦１２は、このＤＶＤプレイヤー１の本体、ＤＶＤプレイヤーのリモートコマンダーに設けられた押圧操作子であり、図示しないインターフェースを介してユーザーによる操作をコントローラ６に通知する。
【００２３】
認証部１３は、ユーザー識別機構であり、このＤＶＤプレイヤー１を操作するユーザーを識別し、識別結果をコントローラ６に通知する。この実施の形態において、認証部１３は、操作釦１２のうちの、ＤＶＤディスクＤの排出、挿入を指示する押圧操作子に指紋画像の取得機構が設けられ、コントローラ６の制御によりこの取得機構で取得した指紋画像を処理してユーザー登録の処理を実行し、さらにはユーザー登録したユーザーのうちの何れのユーザーがこの押圧操作子を操作してなるかの識別結果を出力する。これによりＤＶＤプレイヤー１では、ＤＶＤディスクＤを視聴するユーザーを判別できるようになされている。
【００２４】
メモリ１４は、このＤＶＤプレイヤー１により過去に再生したＤＶＤディスクＤの設定を記録して保持する。これによりこのＤＶＤプレイヤー１では、この記録を参考にして字幕等を設定し、簡易に所望するＤＶＤディスクＤを視聴できるようになされている。またメモリ１４は、認証部１３を介して登録されたユーザー毎に区分してこれらの記録を保持し、これによりユーザー毎に、字幕等を適切に設定するようになされ、さらに一段と使い勝手を向上するようになされている。具体的に、メモリ１４は、ディスク固有の識別コードであるディスクＩＤ、字幕表示の有無、字幕の言語、音声の言語を記録して保持する。またメモリ１４は、このような過去の設定に加えて、これら選択可能な設定についての標準の設定を記録して保持する。なおここで標準の設定は、このＤＶＤプレイヤー１の仕向け地に応じて、製品検査時に記録されるようになされている。
【００２５】
コントローラ６は、このＤＶＤプレイヤー１に搭載されてなるコンピュータであり、事前にインストールされたプログラムによる所定の処理手順を実行することによりユーザーによる操作に応動して各部の動作を制御し、ＤＶＤディスクＤを再生する。この処理において、コントローラ６は、ＤＶＤディスクＤに記録された各種の管理情報を、メモリ１４に記録した過去に再生したＤＶＤディスクＤの設定を参考に判断し、字幕の表示等を設定する。なおこのコントローラ６のプログラムにおいては、事前のインストールに代えて、インターネット等のネットワーク等を介してダウンロードしたプログラムのインストールにより、さらには各種の記録媒体により提供されるプログラムのインストールにより、提供することができる。因みにこのような記録媒体としては、光ディスク、磁気ディスク、磁気テープ等の記録媒体を適用することができる。
【００２６】
すなわち図３は、ＤＶＤディスクＤにおけるボリューム空間の構造を示す図表である。ＤＶＤディスクＤにおいては（図３（Ａ））、リードインエリア側より、ボリュームファイル構造領域、ＤＶＤ−ビデオ領域、他の記録領域が順次設けられる。ここでボリュームファイル構造領域には、ＵＤＦ（Ｕｎｉｖｅｒｓａｌ　Ｄｉｓｋ　Ｆｏｒｍａｔ　）及びＩＳＯ９６６０による管理情報が記録されるようになされる。これによりＤＶＤディスクＤにおいては、このボリュームファイル構造領域の記録によりディスク固有の識別コードであるディスクＩＤを取得できるようになされ、さらにはコンピュータ等により続くＤＶＤ−ビデオ領域に記録されたビデオデータ、オーディオデータを再生できるようになされている。ＤＶＤ−ビデオ領域には、管理情報と共に、ビデオデータ及びオーディオデータが記録される。また他の記録領域は、必要に応じて設けられ、ＤＶＤ−ビデオ領域に記録したビデオデータ及びオーディオデータの再生等で利用可能な各種情報が記録される。
【００２７】
図３（Ｂ）に示すように、ＤＶＤ−ビデオ領域においては、ビデオデータ及び対応するオーディオデータの組によるビデオタイトルセットＶＴＳ＃１、ＶＴＳ＃２、……、ＶＴＳ＃ｎが順次記録されてビデオデータ及びオーディオデータが記録され、これらビデオタイトルセットＶＴＳ＃１、ＶＴＳ＃２、……、ＶＴＳ＃ｎの先頭にビデオマネージャＶＭＧが記録される。
【００２８】
ここでビデオマネージャＶＭＧは、ビデオタイトルセットＶＴＳ＃１、ＶＴＳ＃２、……、ＶＴＳ＃ｎを管理するＤＶＤプレイヤー用の管理情報であり、図３（Ｃ）に示すように、ビデオマネージャ情報ＶＭＧＩ、ビデオマネージャ用ビデオオブジェクトセット（ＶＯＢＳ）、ビデオマネージャ情報ＶＭＧＩのバックアップ情報が順次記録されて形成される。ここでビデオマネージャ情報ＶＭＧＩは、各ビデオタイトルセットＶＴＳ＃１、ＶＴＳ＃２、……、ＶＴＳ＃ｎの再生に必要な情報が割り当てられ、ビデオマネージャ用ビデオオブジェクトセットには、ビデオマネージャ情報ＶＭＧＩの内容に対応して、メニュー等の表示、選択に供するビデオデータ等によるビデオオブジェクトが順次割り当てられるようになされている。
【００２９】
すなわち図３（Ｄ）に示すように、ビデオマネージャ情報ＶＭＧＩは、ビデオマネージャ情報ＶＭＧＩを管理するビデオマネージャ情報管理テーブル、各ビデオタイトルセットＶＴＳ＃１、ＶＴＳ＃２、……、ＶＴＳ＃ｎの頭出し用の情報であるサーチポインタを割り当てたサーチポインタテーブル（タイトルＳＰテーブル）、各ビデオタイトルセットＶＴＳ＃１、ＶＴＳ＃２、……、ＶＴＳ＃ｎの属性情報を割り当てたビデオタイトルセット属性テーブル、ビデオマネージャ用ビデオオブジェクトセットのサーチポインタ等を割り当てたビデオマネージャメニューＰＣＧＩユニットテーブル、各ビデオタイトルセットＶＴＳ＃１、ＶＴＳ＃２、……、ＶＴＳ＃ｎのパレンタルの情報を割り当てたパレンタル情報テーブルにより形成されるようになされている。
【００３０】
これらのうちサーチポインタテーブルは、図３（Ｅ）に示すように、サーチポインタテーブル全体の情報であるタイトルサーチポインタテーブル情報と、各ビデオタイトルセットＶＴＳ＃１、ＶＴＳ＃２、……、ＶＴＳ＃ｎのサーチポインタが割り当てられ、図４に示すように、タイトルサーチポインタテーブル情報に、このサーチポインタテーブルに記録されたサーチポインタ数、サーチポインタテーブルの終了アドレスが割り当てられるようになされている。これによりＤＶＤディスクＤにおいては、記録されたコンテンツについて、このタイトルサーチポインタ数により総タイトル数を検出できるようになされている。
【００３１】
また各ビデオタイトルセットＶＴＳ＃１、ＶＴＳ＃２、……、ＶＴＳ＃ｎのサーチポインタには、図５に示すように、それぞれ各タイトルセットにおけるチャプタ数であるパートオブタイトル数、各ビデオタイトルセットの番号であるビデオタイトルセット番号、各ビデオタイトルセットのタイトル番号であるビデオタイトルセットタイトル番号、各ビデオタイトルセットの開始アドレスが割り当てられるようになされている。これによりＤＶＤディスクＤにおいては、記録されたコンテンツについて、このパートオブタイトル数により、各ビデオタイトルセットＶＴＳ＃１、ＶＴＳ＃２、……、ＶＴＳ＃ｎにおけるチャプタ数をそれぞれ検出できるようになされている。またビデオタイトルセット番号、ビデオタイトルセットタイトル番号、各ビデオタイトルセットの開始アドレスにより、各ビデオタイトルセットの再生開始位置を検出できるようになされている。
【００３２】
これに対してビデオマネージャメニューＰＣＧＩユニットテーブルには、図３（Ｆ）に示すように、ビデオマネージャメニューＰＣＧＩユニットテーブル全体の管理情報であるビデオマネージャメニューＰＣＧＩユニットテーブル情報、所定個数のビデオマネージャメニュー言語ユニットサーチポインタ及びビデオマネージャメニュー言語ユニットにより形成される。ここでこれらビデオマネージャメニュー言語ユニットサーチポインタ及びビデオマネージャメニュー言語ユニットは、ビデオマネージャ用ビデオオブジェクトセットに割り当てられた各言語によるビデオオブジェクトに対応して設けられ、各言語によるビデオオブジェクトの言語コード、スタートアドレスがビデオマネージャメニュー言語ユニットサーチポインタに割り当てられるようになされている。これに対して図６に示すように、ビデオマネージャメニュー言語ユニットには、ビデオマネージャメニュープログラムチェーン情報サーチポインタ等が割り当てられるようになされている。これらによりＤＶＤディスクＤでは、所望の言語によるトップメニュー画面を表示し、このトップメニュー画面における選択により各種の処理を選択できるようになされている。
【００３３】
これに対して各ビデオタイトルセットＶＴＳ＃１、ＶＴＳ＃２、……、ＶＴＳ＃ｎは、図７（Ａ）及び（Ｂ）に示すように、それぞれビデオタイトルセット情報ＶＴＳＩ、ビデオタイトルセットメニュー用ビデオオブジェクトセットＶＴＳＭ　ＶＯＢＳ、ビデオタイトルセットのタイトル用ビデオオブジェクトセットＶＴＳＴＴ　ＶＯＢＳ、ビデオタイトルセットのバックアップＶＴＳＩ　ＢＵＰにより形成され、タイトル用ビデオオブジェクトセットＶＴＳＴＴ　ＶＯＢＳに実データであるＭＰＥＧ（Ｍｏｖｉｎｇ　Ｐｉｃｔｕｒｅ　Ｅｘｐｅｒｔｓ　Ｇｒｏｕｐ）２のフォーマットによるビデオデータ、対応するオーディオデータが割り当てられるようになされている。ビデオタイトルセット情報ＶＴＳＩには、この実データの管理情報が割り当てられ、ビデオタイトルセットメニュー用ビデオオブジェクトセットＶＴＳＭＶＯＢＳには、ビデオデータのタイトルメニューが割り当てられるようになされている。
【００３４】
具体的に、ビデオタイトルセット情報ＶＴＳＩは、図７（Ｃ）に示すように、５つのテーブルにより構成される。これらのテーブルのうち、ＶＴＳＩ情報管理テーブルは、ビデオタイトルセットを構成するビデオデータ、オーディオデータ等の再生に必要な情報が割り当てられる。すなわち図８に示すように、ビデオタイトルセット情報ＶＴＳＩは、対応するビデオタイトルセットについて、ビデオタイトルセットを特定するビデオタイトルセット識別子、サイズ、対応するＤＶＤビデオ規格、カテゴリーが割り当てられる。またこのビデオタイトルセットのビデオタイトルセットメニュー用ビデオオブジェクトセットＶＴＳＭ　ＶＯＢＳ、タイトル用ビデオオブジェクトセットＶＴＳＴＴ　ＶＯＢＳの開始アドレス、これら５つのテーブルの開始アドレスが割り当てられる。
【００３５】
またタイトル用ビデオオブジェクトセットＶＴＳＴＴ　ＶＯＢＳについて、ビデオデータの属性、対応するオーディオデータのストリーム数、属性、副映像を構成するビデオデータのストリーム数、属性が順次割り当てられるようになされている。またビデオタイトルセットメニュー用ビデオオブジェクトセットＶＴＳＭ　ＶＯＢＳについて、オーディオデータのストリーム数、属性、副映像を構成するビデオデータのストリーム数、属性が順次割り当てられるようになされている。これらによりこのＤＶＤディスクＤでは、記録されたコンテンツについて、このＶＴＳＩ情報管理テーブルの記録により、各タイトルを構成するオーディオストリーム数、副映像ストリーム数を検出できるようになされている。
【００３６】
ビデオタイトルセット情報ＶＴＳＩは、これらオーディオストリーム数、副映像ストリーム数に対応するオーディオストリーム属性、副映像ストリーム属性に、それぞれストリーム毎に言語を示すコードが割り当てられるようになされ、これによりＤＶＤディスクＤでは、記録されたコンテンツについて、例えば選択可能な音声の言語、字幕の言語を検出できるようになされている。
【００３７】
コントローラ６は、このようにしてＤＶＤディスクＤに記録されてなる各種の管理情報に基づいて、各部の動作を制御してＤＶＤディスクＤを再生する。図１は、このＤＶＤディスクＤの再生の処理に係るコントローラ６の処理手順を示すフローチャートである。コントローラ６は、電源が立ち上げられると、ステップＳＰ１からステップＳＰ２に移り、ＤＶＤディスクが装填されたか否か判断し、ここで否定結果が得られると、ステップＳＰ２を繰り返す。これによりコントローラ６は、ユーザーの操作によりＤＶＤディスクＤが装填されるのを待機し、ＤＶＤディスクＤが装填されると、ステップＳＰ２からステップＳＰ３に移る。
【００３８】
なおコントローラ６は、上述した認証部１３に係る操作釦１２の操作に応じて、図示しないトレイ可動機構を可動することにより、ＤＶＤディスクＤを載置するトレイを出し入れする。またこのトレイを収納した際に、トレイに設けられた開口を介して図示しない光源よりＤＶＤディスクＤに光を照射して得られる戻り光の有無により、又は光ピックアップ５よりレーザービームを照射してフォーカスサーチの処理を実行して得られる処理結果より、ＤＶＤディスクＤの有無を検出し、これによりＤＶＤディスクＤの装填を検出するようになされている。
【００３９】
コントローラ６は、ステップＳＰ３において、このようにしてＤＶＤディスクＤの装填に係るユーザーによる操作釦１２の操作について、認証部１３で得られる認証結果を取得し、個人認証の処理を実行する。さらに続くステップＳＰ４において、この認証結果により、操作釦１２の操作が、メモリ１４に記録されていない新規のユーザーによるものか否か判断する。
【００４０】
ここで否定結果が得られると、コントローラ６は、ステップＳＰ４からステップＳＰ５に移り、このユーザーに係る過去の設定の記録をメモリ１４から検出した後、ステップＳＰ６に移る。これに対してステップＳＰ４で肯定結果が得られると、コントローラ６は、ステップＳＰ４からステップＳＰ７に移り、標準の設定をメモリ１４より取得してステップＳＰ６に移る。
【００４１】
コントローラ６は、ステップＳＰ６において、音声、字幕の言語検出処理を実行する。ここで図９に示すように、コントローラ６は、サーボ制御回路３等を制御してビデオマネージャを再生し、その結果得られる再生データを信号処理回路７から取得する。コントローラ６は、このようにして再生データを取得すると、ステップＳＰ８からステップＳＰ９に移り、図３及び図４について上述したタイトルサーチポインタ数より、ＤＶＤディスクＤに記録されたコンテンツについて、総タイトル数を検出する。また続いてステップＳＰ１０に移り、図５について上述したパートオブタイトル数から各タイトル毎のチャプタ数を検出する。
【００４２】
またこのようにして再生してなるビデオマネージャの記録より、各タイトルの管理情報を再生し、その再生データを信号処理回路７から取得する。また続くステップＳＰ１１において、図７及び図８について上述したオーディオストリーム数から、各タイトル毎のオーディオストリーム数を検出し、また続くステップＳＰ１２において、各タイトル毎の副映像ストリーム数を検出する。また続くステップＳＰ１３において、オーディオストリーム属性より、オーディオストリームの言語を検出し、また続くステップＳＰ１４において、副映像ストリーム属性より、副映像ストリームの言語を検出する。
【００４３】
これらによりコントローラ６は、ＤＶＤディスクＤに記録されたコンテンツについて、選択可能な設定を検出し、ステップＳＰ１５より元の処理に戻る。
【００４４】
コントローラ６は、続くステップＳＰ１６において、ステップＳＰ５で検出した過去の設定又はステップＳＰ６で検出した標準の設定と、ステップＳＰ６で検出した選択可能な設定との比較により、ステップＳＰ６で検出した選択可能な設定において、ステップＳＰ５又はステップＳＰ６で検出した設定と一致する設定が含まれているか否か判断する。ここで肯定結果が得られると、コントローラ６は、ステップＳＰ１６からステップＳＰ１７に移り、選択可能な設定よりこの一致する設定を選択して、ステップＳＰ１８に移る。なおコントローラ６は、このようにして検出される一致する設定が複数存在する場合、ディスクＩＤが一致する過去の設定を選択してこれらの処理を実行する。またこのように複数存在する場合に、ディスクＩＤが一致する過去の設定が検出されない場合、最も再生頻度の高い過去の設定を選択する。これに対してステップＳＰ１６で否定結果が得られると、コントローラ６は、ステップＳＰ１６からステップＳＰ１９に移り、ここで初期値によりこれら選択可能な項目を選択し、ステップＳＰ１８に移る。なおこの初期値による設定は、トップメニュー画面における字幕、音声の設定画面において、先頭のメニューを選択する設定である。
【００４５】
コントローラ６は、続くステップＳＰ１８において、ビデオマネージャの再生結果より、モニタ装置１１にトップメニュー画面を表示する。このときコントローラ６は、ステップＳＰ１７又はステップＳＰ１９の選択に従って、メニューを選択してトップメニュー画面を表示する。またこのトップメニュー画面の表示において、ユーザーによる操作釦１２の操作を受け付け、これによりステップＳＰ１７又はステップＳＰ１９の選択を基準にしてユーザーによる設定の変更を受け付ける。コントローラ６は、一定時間の経過により、又はユーザーによる設定完了の操作釦１２の操作により、ステップＳＰ１８からステップＳＰ１９に移り、このようにして得られる設定により、ＤＶＤディスクＤの再生を開始した後、ステップＳＰ２０に移ってこの処理手順を終了する。なおコントローラ６は、このＤＶＤディスクＤが認証に係るユーザーにおいて過去に再生したこと無いＤＶＤディスクの場合、またはこのＤＶＤディスクＤの再生の指示に係るユーザーが新規のユーザーの場合、このようにして再生を開始すると、このようにして得られるＤＶＤディスクＤに係る設定をメモリ１４に併せて記録する。
【００４６】
これらによりＤＶＤプレイヤー１では、メモリ１４は、過去にコンテンツを再生した際の設定を記録する記憶手段を構成するのに対し、スピンドルモータ２、サーボ制御回路３、ＲＦアンプ４、光ピックアップ５、信号処理回路７、コントローラ６は、再生対象のコンテンツについて、選択可能な設定を記録媒体であるＤＶＤディスクＤより再生する設定項目再生手段を構成するようになされている。またコントローラ６は、記憶手段に記録した設定と、設定項目再生手段で再生した選択可能な設定との比較により、選択可能な設定を選択して設定する設定手段を構成するのに対し、スピンドルモータ２、サーボ制御回路３、ＲＦアンプ４、光ピックアップ５、信号処理回路７、コントローラ６は、この設定手段の設定により、再生対象のコンテンツを再生する再生手段を構成するようになされている。
【００４７】
（１−２）第１の実施の形態の動作
以上の構成において、このＤＶＤプレイヤー１では（図２）、光ピックアップ５からＤＶＤディスクＤにレーザービームを照射して得られる戻り光が光ピックアップ５で受光され、この受光結果がＲＦアンプ４、信号処理回路７で順次処理され、これによりＤＶＤディスクＤに記録された各種のデータが再生される。ＤＶＤプレイヤー１では、このようにして得られる各種のデータのうち、コントローラ６により指示されるビデオデータ及びオーディオデータがＡＶデコード処理回路８によりデコードされ、モニタ装置１１に出力され、これによりＤＶＤディスクＤに記録されたコンテンツを視聴することができる。このときコントローラ６の指示により、副映像のビデオストリームを併せてＡＶデコード処理回路８でデコードしてミキシングすることにより、字幕が表示される。またこのようにして処理するオーディオデータをコントローラ６の制御により切り換えることにより、音声の言語が切り換えられる。またこのようなビデオデータ、オーディオデータの処理に代えて、ビデオマネージャ等に記録されたビデオオブジェクトによるビデオデータ等を処理してモニタ装置１１に出力することにより、トップメニュー画面等を表示することができる。またこのこのようなメニュー画面により選択可能な設定項目を検出することができ、これにより字幕の言語、音声の言語に加えて、マルチアングル等を設定することができる。またＤＶＤディスクＤに固有の識別データであるディスクＩＤが信号処理回路７の出力データより検出される。
【００４８】
ＤＶＤプレイヤー１では、操作釦１２に設けられた指紋検出機構により、このＤＶＤディスクＤの装填を指示するユーザーの指紋が検出され、認証部１３による処理により、このユーザーの認証結果が得られる。ＤＶＤプレイヤー１では、この認証結果により、ユーザー毎に、ＤＶＤディスクＤを再生する際の字幕及び音声に係る設定が、ディスクＩＤと共にメモリ１４に記録されて保持される。
【００４９】
ＤＶＤプレイヤー１では、これらの処理において、ユーザーによりＤＶＤディスクＤが装填されると、認証部１３による認証により、このユーザーが検出される。またＤＶＤディスクＤを再生して、選択可能な字幕、音声の言語が検出され、メモリ１４に記録してなるこのユーザーに係る過去の再生時における設定が、このＤＶＤディスクＤから検出された選択可能な設定と一致するか否か、すなわちこのユーザーに係る過去の設定に設定可能か否か判断され、過去の設定により設定可能な場合、この過去の設定により字幕、音声が設定されてＤＶＤディスクＤが再生される。
【００５０】
これによりこのＤＶＤプレイヤー１では、例えば英語による字幕、音声によりＤＶＤディスクＤに記録されたコンテンツを再生して英語を鍛練しているユーザーについては、再生するＤＶＤディスクＤが新規なディスクである場合でも、字幕、音声の設定を英語に設定することができ、これにより従来に比してユーザーによる煩雑な操作を簡略化することができる。また字幕を表示しないでヒアリングを訓練しているユーザーにおいては、同様に、再生するＤＶＤディスクＤが新規なディスクである場合でも、字幕を表示しないように設定することができ、これにより従来に比してユーザーによる煩雑な操作を簡略化することができる。
【００５１】
特にこの実施の形態においては、過去の設定がユーザー毎にメモリ１４に記録され、認証部１３による認証結果により、再生を指示するユーザー毎に、このような選択可能な設定項目が選択されることにより、例えば両親が日本語による字幕、英語による音声により楽しむ映画について、子供が視聴する場合には、何らメニューを操作することなく、字幕の表示を中止して日本語の音声により楽しむことができ、これによっても一段と使い勝手を向上することができる。
【００５２】
またこのように設定してトップメニューを表示してユーザーによる設定の変更を必要に応じて受け付けるようになされ、これにより例えば語学の鍛練にＤＶＤディスクＤを利用しているユーザーが単なる娯楽によりＤＶＤディスクＤに記録されたコンテンツを楽しむ場合等にあっては、いつもの設定より簡易に設定を変更することができ、これによっても使い勝手を一段と向上することができる。
【００５３】
（１−３）実施の形態の効果
以上の構成によれば、記憶手段であるメモリに記録した過去に再生した際の設定と、再生対象のコンテンツにおいて選択可能な設定との比較により、この各選択可能な項目を設定することにより、従来に比して格段的に設定操作を簡略化することができる。
【００５４】
またユーザー毎に、設定を記録して保持し、再生を指示したユーザーに対応する記憶手段の記録に基づいて、選択可能な設定を選択して設定することにより、複数のユーザーで１台の再生装置を使用する場合に、使い勝手を向上することができる。
【００５５】
すなわちこの選択可能な設定が、字幕の言語であることにより、またはこの選択可能な設定が、音声の言語であることにより、これらの言語の設定を簡略化することができる。
【００５６】
（２）第２の実施の形態
この実施の形態においては、ＤＶＤプレイヤーに適用して、第１の実施の形態と同様に、過去に再生した際の設定をユーザー毎に、ディスクＩＤと共にメモリに記録して保持する。またこのメモリの記録よりディスクＩＤを基準にして、再生の指示に係るユーザーについて、過去に再生したことのあるＤＶＤディスクを再生する場合か否か判断し、過去に再生したことのあるＤＶＤディスクの場合、メモリに記録されたこのユーザーに係る過去の設定を再現する。これに対して過去に再生したことの無い新規なＤＶＤディスクを再生する場合、第１の実施の形態と同様に、メモリに記録した過去に再生した際の設定と、再生対象のコンテンツにおいて選択可能な設定とを比較することにより、過去の再生時と一致する設定を選択可能な設定より選択し、この選択した設定によりＤＶＤディスクを再生する。なおこの実施の形態に係るＤＶＤプレイヤーにおいては、この一連の処理が異なる点を除いて、第１の実施の形態と同一に構成される。
【００５７】
この実施の形態によれば、過去に再生したコンテンツについては、過去の再生時における設定を再現し、過去に再生したことの無いコンテンツについては、記憶手段に記録した設定と、設定項目再生手段で再生した選択可能な設定との比較により、選択可能な設定を選択することにより、繰り返し視聴するコンテンツについては、同一の設定により確実に再生することができ、これにより一段と使い勝手を向上することができる。
【００５８】
（３）他の実施の形態
なお上述の実施の形態においては、メモリに記録した過去に再生した際の設定と、再生対象のコンテンツにおいて選択可能な設定とを比較することにより、過去の再生時と一致する設定を選択可能な設定より選択する場合について述べたが、本発明はこれに限らず、例えば過去の設定の記録をコンテンツのカテゴリー等により一旦集計し、この集計結果と選択可能な設定とを比較して字幕等の言語を設定する場合等、過去の設定の記録を種々の処理して各種選択可能な設定項目を設定するようにしてもよい。なおこれらの処理において、例えばカテゴリー等により過去の再生の設定を一旦集計して処理する場合には、必要に応じて、例えば洋画、邦画等のコンテンツのカテゴリー等を、再生時の設定と共にメモリに記憶して保持することが考えられる。
【００５９】
また上述の実施の形態においては、ＤＶＤディスクの装填により自動的に字幕等を設定する場合について述べたが、本発明はこれに限らず、例えばこのような各種項目の自動設定をユーザーが指定している場合に限り、自動的に字幕等を設定するようにしてもよい。
【００６０】
また上述の実施の形態においては、字幕の表示の有無、字幕及び音声の言語を設定する場合について述べたが、本発明はこれに限らず、例えばパンレタルのレベル設定等、他の種々の設定に広く適用することができる。
【００６１】
また上述の実施の形態においては、指紋認証によりユーザーを識別する場合について述べたが、本発明はこれに限らず、例えば音声認識によりユーザー認証してもよく、さらにはユーザーによるキー操作によりユーザー認証してもよい。
【００６２】
また上述の実施の形態においては、記録媒体を単位にして、コンテンツの過去の再生の設定を記録し、またコンテンツの再生で選択可能な設定を検出して処理する場合について述べたが、本発明はこれに限らず、例えば１枚のＤＶＤディスクに複数のコンテンツが記録されている場合等においては、コンテンツを単位にして、コンテンツの過去の再生の設定を記録し、またコンテンツの再生で選択可能な設定を検出して処理するようにしてもよい。
【００６３】
また上述の実施の形態においては、記録媒体であるＤＶＤディスクに固有のディスクＩＤにより、記憶媒体を単位にしてコンテンツを識別する場合について述べたが、本発明はこれに限らず、各コンテンツに固有の識別コードにより各コンテンツを識別するようにしてもよい。
【００６４】
また上述の実施の形態においては、記録媒体としてＤＶＤによる光ディスクを再生するＤＶＤプレイヤーに本発明を適用する場合について述べたが、本発明はこれに限らず、ＤＶＤによる光ディスク以外の各種光ディスク、メモリカード等、各種の記録媒体に記録されたコンテンツを再生する再生装置に広く適用することができる。
【００６５】
【発明の効果】
上述のように本発明によれば、記憶手段に記録した過去に再生した際の設定と、再生対象のコンテンツにおいて選択可能な設定との比較により、この各選択可能な項目を設定することにより、従来に比して格段的に設定操作を簡略化することができる。
【図面の簡単な説明】
【図１】本発明の第１の実施の形態に係るＤＶＤプレイヤーにおけるコントローラの処理手順を示すフローチャートである。
【図２】本発明の第１の実施の形態に係るＤＶＤプレイヤーを示すブロック図である。
【図３】ＤＶＤディスクのフォーマットを示す図表である。
【図４】図３のタイトルサーチポインタテーブル情報を示す図表である。
【図５】図３のタイトルサーチポインタを示す図表である。
【図６】図３のビデオマネージャメニュー言語ユニットを示す図表である。
【図７】ビデオタイトルセットを示す図表である。
【図８】図７のビデオタイトルセット情報管理テーブルを示す図表である。
【図９】図１の処理手順における音声、字幕の言語検出処理を示すフローチャートである。
【符号の説明】
１……ＤＶＤプレイヤー、５……光ピックアップ、６……コントローラ、１２……操作釦、１３……認証部、１４……メモリ、Ｄ……ＤＶＤディスク
【図１】
2004071109.tif 000003
【図２】
2004071109.tif 000004
【図３】
2004071109.tif 000005
【図４】
2004071109.tif 000006
【図５】
2004071109.tif 000007
【図６】
2004071109.tif 000008
【図７】
2004071109.tif 000009
【図８】
2004071109.tif 000010
【図９】
2004071109.tif 000011